(57)【要約】      （修正有）【課題】製造、運送時に安定状態で立設可能に構成した縦型遊技機を提供する。【解決手段】固定保持用外枠２０と、外枠２０側部に横開き可能に取り付けられるとともに常時は外枠２０の内部空間を覆って閉止保持される前枠と、前枠の所要設定位置に装備された遊技構成部材とを有し、縦向きに立設されるパチンコ機において、外枠２０が、上枠、左枠２２、右枠および下枠２４から矩形枠状に形成され、外枠２０に前枠が閉止保持状態で前枠より下側で前面の露出部分を覆う下枠２４の前面側に設けられ、下枠２４の底面と略同一平面上に位置する底面を有し下枠２４とともにパチンコ機の底面を形成するスピーカユニット２５を備え、このスピーカユニット２５が、底面から下方に突出して形成されたリブ７２を有し、リブ７２を水平載置面上に接触させて外枠２０を載置すると、外枠２０を所定角度αだけ後傾状態で起立した位置に重心を有するように構成される。【選択図】図７
2009131532.tif 000002
【特許請求の範囲】
【請求項１】
固定保持用の外枠と、前記外枠の側部にヒンジ結合されて横開き可能に取り付けられるとともに常時は前記外枠の前面開放空間を覆って閉止保持される前枠と、前記前枠の所要設定位置に装備された遊技構成部材とを有し、全体として縦向きに立設されて遊技に供される縦型遊技機において、
前記外枠が、上枠部材、左枠部材、右枠部材および下枠部材から矩形枠状に形成され、
前記外枠に前記前枠が閉止保持された状態で前記前枠より下側において前面に露出する部分を覆うよう下枠部材の前面側に設けられ、前記下枠部材の底面と略同一平面上に位置する底面を有して前記下枠部材とともに前記縦型遊技機の底面を形成する幕板部材を備え、
前記幕板部材が、底面から下方に突出して形成された突出部を有し、
前記突出部を水平載置面上に接触させて前記外枠を載置すると、前記外枠を所定角度だけ後傾状態で起立した位置に重心を有するように構成されたことを特徴とする縦型遊技機。
【請求項２】
前記幕板部材の上部であって前記左右枠部材の内側に配設され、前記幕板部材の上面部を押圧接触して、前記幕板部材を前記下枠部材に押え付けるクランプ部材を備えて構成されたことを特徴とする請求項１に記載の縦型遊技機。
【請求項３】
前記幕板部材が、内部にスピーカが配設され略箱形状に形成されたスピーカユニットから構成されたことを特徴とする請求項１又は２に記載の縦型遊技機。
【発明の詳細な説明】
【技術分野】
【０００１】
本発明は、固定保持用の外枠と、外枠の側部にヒンジ結合されて横開き可能に取り付けられるとともに常時は外枠の前面開放空間を覆って閉止保持される前枠と、前枠の所要設定位置に装備された遊技構成部材とを有し、全体として縦向きに立設されて遊技に供される縦型遊技機に関する。
【背景技術】
【０００２】
上記のような縦型遊技機として、パチンコ機やアレンジボール機、雀球機などが知られている。この種の遊技機の代表例とされるパチンコ機では、前枠が外枠の側部にヒンジ機構を介して開閉可能に連結され、反対側側部に設けられた施錠装置を用いて常には外枠の前面を覆う閉鎖姿勢で前枠が閉止保持される。この前枠には所要のゲージ設定で遊技領域が形成された遊技盤、遊技盤の前面を覆うガラス扉、遊技球を貯留する上下の球皿、球皿に貯留された遊技球を遊技盤に向けて発射する遊技球発射装置、球貯留タンクや球払出装置等を備えた裏セット盤、パチンコ機の作動を制御する各種制御基板や中継基板など、各種の遊技構成部材が各々の設定位置に装備されている。
【０００３】
ここで、上記のように遊技構成部材が装備されて前枠と遊技構成部材とが一つにまとめられた前枠全体（以下、「前枠構造体」という）はかなりの重量となる。このため、パチンコ機では通常の形態として、重量のある前枠構造体と比較的軽量な外枠とが別に取り扱われ、前枠構造体が外枠に対してヒンジ機構を用いて片持ち支持形態で連結されて開閉できるようになっている。なお、外枠は、木材や硬質樹脂材により形成された複数本の定尺枠部材を枠組み連結して構成されている。（例えば、特許文献１および２参照）。
【０００４】
【特許文献１】特許第２５０５６３０号公報
【特許文献２】特許第２５５１８８０号公報
【発明の開示】
【発明が解決しようとする課題】
【０００５】
近年、上記パチンコ機においては、機能面のみならず意匠面を含めた演出効果を図るため、遊技者側となるパチンコ機の前面側に前枠構造体の前面側に突出する装飾部を形成したり、ＬＥＤ等を用いた演出用照明装置等を備えて構成される傾向にある。このためパチンコ機全体の重心位置は前面側に偏ることとなる。しかしながら、パチンコ機は、製造段階や運送段階においては立設した状態で搬送されることが多く、このとき搬送台上等にパチンコ機を単独で立設した場合には、パチンコ機全体の重心位置が前面側に位置するため前方に転倒しやすくなり、立設安定性に欠けるという問題がある。
【０００６】
本発明はこのような課題に鑑みてなされたものであり、製造段階や運送段階において安定した状態で立設可能に構成した縦型遊技機を提供することを目的とする。
【課題を解決するための手段】
【０００７】
前記課題を解決するために、本発明に係る縦型遊技機は、固定保持用の外枠と、外枠の側部にヒンジ結合されて横開き可能に取り付けられるとともに常時は外枠の前面開放空間（例えば、実施形態における内部空間２０ａ）を覆って閉止保持される前枠と、前枠の所要設定位置に装備された遊技構成部材とを有し、全体として縦向きに立設されて遊技に供される縦型遊技機において、外枠が、上枠部材、左枠部材、右枠部材および下枠部材から矩形枠状に形成され、外枠に前枠が閉止保持された状態で前枠より下側において前面に露出する部分を覆うよう下枠部材の前面側に設けられ、下枠部材の底面と略同一平面上に位置する底面を有して下枠部材とともに縦型遊技機の底面を形成する幕板部材（例えば、実施形態におけるスピーカユニット２５）を備え、幕板部材が、底面から下方に突出して形成された突出部（例えば、実施形態におけるリブ７２）を有し、突出部を水平載置面上に接触させて外枠を載置すると、外枠を所定角度だけ後傾状態で起立させることができるように構成される。
【０００８】
このような縦型遊技機において、幕板部材の上部であって左右枠部材の内側に配設され、幕板部材の上面部を押圧接触して、幕板部材を下枠部材に押え付けるクランプ部材（例えば、実施形態におけるヒンジプレート５２および取付プレート５５）を備えて構成されることが好ましい。
【０００９】
また、幕板部材が、内部にスピーカが配設され略箱形状に形成されたスピーカユニットから構成されることが好ましい。
【発明の効果】
【００１０】
上記構成の本発明に係る縦型遊技機によれば、外枠底面の一部を形成する幕板部材の底面に下方に突出した突出部が設けられている。このため、遊技機の重心位置が前方側に位置して垂直に立設させることが困難な場合であっても、突出部を水平載置面に接触させ外枠を後傾姿勢で起立させることにより、遊技機全体の重量バランスが後方に移動して、後傾状態で重心位置が中立に維持されることとなる。したがって、遊技機の立設安定性が向上するため、製造段階や運送段階において、遊技機を後傾姿勢により安定状態で立設させることができ、搬送時等の振動で起立姿勢が崩れて遊技機が損傷等を受けることを防止することができる。
【００１１】
この場合に、幕板部材の上面部を押圧接触して、この幕板部材を下枠部材に押え付けるクランプ部材を備えて構成するのが好ましく、これにより遊技機を後傾姿勢に支持する突出部に作用する加重が、外枠と幕板部材とを結合する各結合部に分散して掛かるため、それぞれの結合部に架かる負荷が軽減されて、幕板部材をより安定した状態で固定保持することができる。また、幕板部材と外枠との連結状態が強固になるため、突出部材に作用する加重を受けて幕板部材と外枠との連結が外れることがなく、より安定した状態で遊技機を自立させることができる。
【００１２】
また、幕板部材を、内部にスピーカが配設され略箱形状に形成されたスピーカユニットから構成されることが好ましく、これにより外枠の前面開放空間において、前枠の下面から下枠部材の上面までのスペースを利用してスピーカユニットを大型化することができる。このため、スピーカユニットにおいて低音域の音声を発生させ易くなり、音質を向上させることができる。
【発明を実施するための最良の形態】
【００１３】
以下、本発明の好ましい実施形態について図面を参照しながら説明する。まず、図１および図２を参照して本発明に係る縦型遊技機の代表例として示すパチンコ機ＰＭの概略構成について説明する。ここで、図１はパチンコ機ＰＭの正面図、図２はパチンコ機ＰＭの背面図である。
【００１４】
パチンコ機ＰＭは、図１に示すように、外郭方形枠サイズに構成されて縦向きの固定保持枠をなす外枠２０の開口前面に、これに合わせた方形枠サイズに構成された開閉搭載用の前枠３０が互いの正面左側上下に配設された上下ヒンジ機構５０，５１により前方に横向き開閉および着脱が可能に取り付けられ、正面右側に設けられた施錠装置３２およびロック機構（図示しない）を利用して常には外枠２０と係合連結された閉止状態に保持される。また、外枠２０の前面における前枠３０の下側には、この下側部分の前面を左右方向および上下方向の各全幅に渡って覆うようにスピーカユニット２５が着脱可能に設けられる。
【００１５】
前枠３０の前面側上部には、透明アクリル板やガラス板を有したガラス扉３３が前方に横開き開閉および着脱可能に取り付けられ、施錠装置３２を利用して常には前枠３０の前面を覆う閉止状態に保持される。このガラス扉３３の前面には、前方に突出した形状を有する合成樹脂製の装飾部３８や、内部にＬＥＤ等が装備された演出用照明装置３９が配置されている。ガラス扉３３の背後に位置する前枠３０の上部には、遊技盤３５を着脱自在に収容する収容枠（図示せず）が設けられており、この収容枠に立設姿勢で係止保持された遊技盤３５がガラス扉３３を通して視認されるようになっている。
【００１６】
遊技盤３５は、所定板厚の積層合板の表面にセルを貼り付けてルーター加工した化粧板を基板とし、円弧状のレール（図示せず）等に囲まれて略円形状の遊技領域ＰＡが形成される。遊技領域ＰＡには、多数本の遊技釘や風車とともに各種入賞装置等の遊技構成部品（図示せず）が取り付けられている。
【００１７】
前枠３０の前面におけるガラス扉３３の下側には、遊技球を貯留する上球皿４１が取り付けられており、この上球皿４１の下側には下球皿４４および発射ハンドル４５が取り付けられている。また、上球皿４１に前面側が覆われた前枠３０の下部領域には遊技補助盤（図示せず）と称される補助機構部が形成されており、この遊技補助盤には、遊技盤３５の遊技領域ＰＡ内に遊技球を発射する遊技球発射装置（図示せず）が設けられている。
【００１８】
前枠３０の背面側には、図２に示すように、球貯留タンクや球払出装置等の賞球機構を有する裏セット盤６０が設けられている。また、裏セット盤６０には、パチンコ機ＰＭの作動を統括的に制御する主制御装置等の各種制御装置や、回路基板等の各種電子部品が取り付けられており、これらが図示しないコネクタケーブルで接続されてパチンコ機ＰＭが作動可能に構成される。
【００１９】
パチンコ機ＰＭは、前枠３０やガラス扉３３等が閉鎖された状態で遊技に供され、上球皿４１に遊技球を貯留させて発射ハンドル４５を回動操作することにより遊技が開始される。発射ハンドル４５が回動操作されると、上球皿４１に貯留された遊技球は、上球皿４１の背面側に位置する遊技球発射装置により１球ずつ遊技領域ＰＡに打ち出され、パチンコゲームが展開される。
【００２０】
以上の構成のパチンコ機ＰＭにおいて、外枠２０の概略構成について図２〜図４を参照して説明する。外枠２０は、図２に示すように、木材や樹脂等で成形加工された複数本の定形尺の枠部材、すなわち上下枠部材２１，２４および左右枠部材２２，２３を金属製の連結具６１〜６４により直角に枠組み連結して構成される。
【００２１】
連結具６１は、図３に示すように、上枠部材２１の左端部と左枠部材２２の上端部とが互いに直角となるように合わされた外側に配置され、ネジ２６がこの連結具６１を介して枠部材２１，２２に締結されることにより、上枠部材２１の左端部と左枠部材２２の上端部とが互いに結合される。また、連結具６１には、この連結具６１の上端前部から前方に突出するようにして上ヒンジ機構５０が設けられている。
【００２２】
連結具６２は、上枠部材２１の右端部と右枠部材２３の上端部とが互いに直角となるように合わされた外側に配置され、ネジ２７がこの連結具６２を介して枠部材２１，２３に締結されることにより、上枠部材２１の右端部と右枠部材２３の上端部とが互いに結合される。
【００２３】
連結具６３は、図４に示すように、下枠部材２４の左端部と左枠部材２２の下端部とが互いに直角となるように合わされた内側に配置され、ネジ２８がこの連結具６３を介して枠部材２２，２４に締結されることにより、下枠部材２４の左端部と左枠部材２２の下端部とが互いに結合される。
【００２４】
結合具６３の上部には、ヒンジプレート５２が、この連結具６３の上端部から内側に直角に折り曲げられて一体形成されている。ヒンジプレート５２の上端部には、ヒンジピン５３が、外枠２０の前部よりも前側に位置し、上方に突出して設けられている。また、ヒンジプレート５２には、このヒンジプレート５２の下面にスピーカユニット２５の左方部をネジ止めするネジ６７を挿通する貫通孔が形成される。なお、これらヒンジプレート５２およびヒンジピン５３により下ヒンジ機構５１が構成される。
【００２５】
結合具６４は、下枠部材２４の右端部と右枠部材２３の下端部とが互いに直角となるように合わされた内側に配置され、ネジ２９がこの連結具６４を介して枠部材２３，２４に締結されることにより下枠部材２４の右端部と右枠部材２３の下端部とが互いに結合される。
【００２６】
結合具６４の上部には、取付プレート５５が、この連結具６４の上端部から内側に直角に折り曲げられて一体形成されている。取付プレート５５には、この取付プレート５５の上部を覆うようにしてガイド部材５６がネジ６９により固定されている。ガイド部材５６の前方部には、前面側から中央に向かって上り傾斜となるガイド面が形成されている。このため、上下ヒンジ機構５０，５１により前方に片開きされた前枠３０を外枠２０の開口前面に閉じる場合に、重量により若干下方に沈んだ前枠３０の正面右側を持ち上げるようにガイドするため、前枠３０を押し込んで容易にロック機構を係合させ、前枠３０を外枠２０の開口前面に閉止させることができる。そして、これら取付プレート５５およびガイド部材５６には、スピーカユニット２５の右方部を取付プレート５５の下面にネジ止めするネジ６８を挿通させる上下に貫通した同軸の貫通孔が形成される。
【００２７】
また、結合具６４の上方には、前枠３０の右端部に配設された上述のロック機構と係脱可能な掛止金具３６が右枠部材２３の外側からネジ止めされている。
【００２８】
このように、結合具６１〜６４によりこれら枠部材２１〜２４が結合されることにより、外枠２０は前後方向から見て方形な額縁状となる。つまり、外枠２０は、枠部材２１〜２４で囲まれた前後方向に開口する内部空間２０ａを備えることとなる。そして、この内部空間２０ａの下部において、この下部前面を覆うようにしてスピーカユニット２５が外枠２０に取り付けられる。
【００２９】
なお、外枠２０は下枠部材２４の底面が外枠２０の前面および後面に対して直角に延びるよう構成されるため、下枠部材２４の底面を水平面上に接触させて外枠２０を載置すると、外枠２０は垂直に起立して水平面上に載置される。
【００３０】
次に、上記外枠２０に取り付けられるスピーカユニット２５の概略構成について図５および図６を参照して説明する。スピーカユニット２５は横長の略箱形状に形成され、正面視において横長四角形に形成された合成樹脂製のスピーカ蓋部材７１と、内部にスピーカ（図示しない）が収用されスピーカ蓋部材７１の背面側に取り付けられる合成樹脂製のスピーカ収容部材７４とから構成される。
【００３１】
スピーカ蓋部材７１には、スピーカユニット２５の左方部をヒンジプレート５２の下面にネジ止めするためのネジ孔７９が複数個設けられるとともに、スピーカユニット２５の右方部を取付プレート５５の下面にネジ止めするためのネジ孔８０が複数個設けられている。また、スピーカ蓋部材７１の底面は、スピーカユニット２５を外枠２０（下枠部材２４）に取り付けた状態で、下枠部材２４の底面と同一平面上に位置するよう形成されており、下枠部材２４の底面とともにパチンコ機ＰＭの底面を形成する。スピーカ蓋部材７１の底面には、図５（Ｂ）に示すように、前端部および左右の両端部の周縁に沿って下方に所定高さＨ（例えば、約０．５ｍｍ）突設されるリブ７２が設けられている。この所定高さＨは、パチンコ機ＰＭの形状、重量等の設計仕様に応じて異なる大きさとなるものである。
【００３２】
スピーカ収容部材７４は、スピーカ蓋部材７１の背面周縁部にネジ８２により取り付けられる前面取付部７５と、この前面取付部７５の後方側に一体に形成されて前側に開口する略箱形状に形成された収容本体部７６とから構成される。スピーカ収容部材７４の後部には、後方に突出して平面視において略三角形状に形成された平板状の取付板部７７が左右に設けられており、この取付板部７７には下枠部材２４への取り付け用のネジ８１が挿通されるネジ挿通孔７８が形成されている。また、スピーカ収容部材７４には、底面の左右両端部に前後方向に沿って凹んだ切欠部７４ａ，７４ｂが形成されている。この切欠部７４ａ，７４ｂは、背面視において２段の段差形状に形成されており、スピーカユニット２５を外枠２０に対して前方側から挿入して取り付ける際に、このスピーカ収容部材７４の底面が、下枠部材２４の上面に配置する連結具６３，６４の下板部およびネジ２８，２９と干渉することがないようになっている。このため、スピーカ収容部材７４の底面（切欠部７４ａ，７４ｂを除く）は下枠部材２４の上面にフラットに当接することができ、スピーカユニット２５を下枠部材２４の上面に水平に保持固定することができる。
【００３３】
次に、スピーカユニット２５を外枠２０へ取り付ける場合について説明する。スピーカ蓋部材７１のリブ７２が下側に位置するようにして、スピーカユニット２５をほぼ水平に保持して外枠２０の前方側から内部空間２０ａの下方に向かって、スピーカ収容部材７４の左方部を連結具６３とヒンジプレート５２との間に挿入するとともに、スピーカ収容部材７４の右方部を連結具６４と取付プレート５５との間に挿入する。そして、スピーカ収容部材７４の前面取付部７５を左枠部材２２，右枠部材２３および下枠部材２４の各前面部に当接させて、スピーカ収容部材７４の底面部が下枠部材２４の上面部に当接するようにして載置する。
【００３４】
そして、スピーカ収容部材７４の後部に設けられた左右の取付板部７７のネジ挿通孔７８にネジ８１を挿通し、下枠部材２４の上端面部にネジ止めする。また、ヒンジプレート５２の貫通孔にネジ６７を挿通し、スピーカ収容部材７４の上面部に形成されたネジ孔７９にネジ止めする。さらに、ガイド部材５６および取付プレート５５に同軸に形成された貫通孔にネジ６８を挿通し、スピーカ収容部材７４の上面部に形成されたネジ孔８０にネジ止めする。このようにして、スピーカユニット２５を下枠部材２４にネジ８１によりネジ止めするだけでなく、ヒンジプレート５２および取付プレート５５によりスピーカユニット２５を下枠部材２４の上面に押え付けるようにして固定することができる。これにより、スピーカユニット２５は外枠２０の下方前面部を覆うように取り付けられる。そして、このようにスピーカユニット２５を、外枠２０の内部空間２０ａにおいて、前枠３０の下面から下枠部材２４の上面までの全スペースを利用して大型化することができるため、低音域の音声を発生させ易くなり、音質を向上させることができる。
【００３５】
ところで、外枠２０およびこれに前枠３０を取り付けて構成されるパチンコ機ＰＭの製造および搬送の段階においては、パチンコ機ＰＭを立設した状態で搬送することが求められるが、上述したように前枠３０（ガラス扉３３）の前面には装飾部３８や演出用照明装置３９等の重量物が配置されており、パチンコ機ＰＭ全体の重心位置が前方側に位置することにより不安定な状態で立設することとなるため、パチンコ機ＰＭが前方に倒れるおそれがあるという問題がある。そこで、搬送時等における立設安定性を向上させるためにスピーカユニット２５の底面には、上述したように、下方に突出したリブ７２が設けられている。
【００３６】
図７に示すように、パチンコ機ＰＭを水平面９０上に立設するとき、外枠２０に取り付けられたスピーカユニット２５の前部を構成するスピーカ蓋部材７１は、外枠２０の前面よりも突出した状態で、スピーカ蓋部材７１の底面が下枠部材２４の底面とほぼ同一面上に位置するように配置されるが、このスピーカ蓋部材７１の底面には下方に所定高さＨだけ突設したリブ７２が設けられているため、スピーカユニット２５が取り付けられた外枠２０を水平面９０上に載置すると、リブ７２の高さＨに対応して外枠２０（下枠部材２４）の前方部が持ち上げられ、外枠２０が水平面９０に対して角度αだけ後傾姿勢で起立することとなる。このため、パチンコ機ＰＭ全体も角度αだけ後傾した姿勢で立設することとなり、パチンコ機ＰＭ全体の重量バランスが後方に移動して、全体の重心位置がほぼ中立に維持されることとなる。そして、パチンコ機ＰＭを後傾姿勢の安定した状態で立設させることができ、この結果、搬送時等におけるパチンコ機ＰＭの立設安定性を向上することができる。
【００３７】
なお、リブ７２の所定の高さＨは、パチンコ機ＰＭの仕様ごとに定まる重心位置に応じて設定されるものであり、設計変更によりパチンコ機ＰＭの重心位置が変更される場合でも、それに応じてリブ７２の突出高さＨを変更することによりパチンコ機ＰＭ全体の重心位置を移動させて立設安定性を確保することができる。
【００３８】
このときパチンコ機ＰＭを後傾姿勢に支持するリブ７２に作用する加重は、スピーカユニット２５の取付板部７７と下枠部材２４とのネジ固定部に掛かるだけではなく、ヒンジプレート５２と左枠部材２２との結合部、取付プレート５５と右枠部材２３との結合部にも掛かるため、外枠２０とスピーカユニット２５との結合における上記加重による負荷を分散することができ、スピーカユニット２５をより安定した状態で固定保持することができる。このように、スピーカユニット２５を外枠２０に固定する手段として、取付板部７７のみでなくヒンジプレート５２および取付プレート５５を備えていることにより、リブ７２に作用する加重が取付板部７７のみに集中しこの取付板部７７が折損するような事態となって、スピーカユニット２５と外枠２０との結合状態が外れ、結果として、外枠２０（パチンコ機ＰＭ）が自立することができずスピーカユニット２５のみを載置面に残したまま前方に倒れるのを防止することができる。
【００３９】
なお、上述の実施形態では、スピーカユニット２５を、外枠２０の内部空間２０ａにおいて、前枠３０の下面から下枠部材２４の上面までのスペースに配設し、このスピーカユニット２５（スピーカ蓋部材７１）の底面にパチンコ機ＰＭ（外枠２０）を立設可能にするリブ７２を形成しているが、上記スペースの前面を覆うように位置する垂直板状の幕板を配設し、この幕板の底面に下方に突出するリブを形成する構成としてもよい。
【００４０】
以上説明した本発明の実施形態において、達成される主要な効果を整理すれば、下記のようになる。
【００４１】
第１に、パチンコ機ＰＭを搬送等するときには、図７に示すように、スピーカユニット２５の底面に突設されたリブ７２が搬送台上面（水平面９０）に接触することにより、外枠（下枠部材２４）の前方部が上方に持ち上げられることとなる。このため、パチンコ機ＰＭは後傾した姿勢で起立した状態となるため、前方側に偏っていたパチンコ機ＰＭ全体の重量バランスが後方側に移動して、全体の重心位置がほぼ中立に維持されることとなる。この結果、パチンコ機ＰＭを後傾姿勢の安定した状態で立設させることができ、パチンコ機ＰＭの搬送時等における立設安定性が向上する。なお、パチンコ機ＰＭの設計変更等により重心位置が変更される場合でも、これに応じてリブ７２の所定の高さＨを変更することにより安定した立設姿勢となり、立設安定性を確保することができる。
【００４２】
第２に、スピーカユニット２５は、図４に示すように、ネジ８１により下枠部材２４にネジ止めされるだけでなく、ヒンジプレート５２および取付プレート５５により下枠部材２４に押え付けられるよう取り付けられる。このため、パチンコ機ＰＭを後傾姿勢に支持するスピーカユニット２５のリブ７２に作用する加重は、それぞれの結合部に分散して掛かるため、それぞれの結合部に掛かる負荷が軽減されて、スピーカユニット２５をより安定した状態で固定保持することができる。したがって、パチンコ機ＰＭの立設安定性が更に向上し、より安定した状態でパチンコ機ＰＭを自立させることができる。
【００４３】
第３に、スピーカユニット２５を、外枠２０の内部空間２０ａにおいて、前枠３０の下面から下枠部材２４の上面までのスペースを利用して大型化することができる。これにより、低音域の音声を発生させ易くなり、音質を向上させることができる。
【図面の簡単な説明】
【００４４】
【図１】本発明に係る縦型遊技機の代表例として示すパチンコ機の正面図である。
【図２】上記パチンコ機の背面図である。
【図３】上記パチンコ機の一部を構成するスピーカユニットを取り付けた外枠を示す斜視図である。
【図４】スピーカユニットを取り付けた外枠を背面側から見た斜視図である。
【図５】スピーカユニットを示す図で、（Ａ）は前面側から見た斜視図であり、（Ｂ）は底面側からみた斜視図である。
【図６】スピーカユニットの背面図である。
【図７】上記パチンコ機の下部を、前後垂直面に沿って切断して示す側面断面図である。
【符号の説明】
【００４５】
ＰＭ  遊技機（縦型遊技機）
ＰＡ  遊技領域
２０  外枠
２０ａ  内部空間（前面開放空間）
２１  上枠部材
２２  左枠部材
２３  右枠部材
２４  下枠部材
２５  スピーカユニット２５（幕板部材）
３０  前枠
５２  ヒンジプレート（クランプ部材）
５５  取付プレート（クランプ部材）
６１〜６４  連結具
７２  リブ（突出部材）
【図１】
2009131532.tif 000003
【図２】
2009131532.tif 000004
【図３】
2009131532.tif 000005
【図４】
2009131532.tif 000006
【図５】
2009131532.tif 000007
【図６】
2009131532.tif 000008
【図７】
2009131532.tif 000009